(57)【要約】【課題】  クリーナヘッドのためのホルダーを、クリーニングに際しては、磁気ヘッドの正面側に移動し、退避の際には、これから離反するように制御する構造とし、クリーニングの際の十分な払拭作用を達成できるようにした磁気ヘッドクリーナを提供する。【解決手段】  ヘッド駆動機構の重心近傍に磁気ヘッドが位置している磁気記録再生装置において、前記磁気ヘッドの正面に沿って、退避可能に揺動するアームには、磁気ヘッドの正面に対してクリーナヘッドを接離動作するためのホルダーがあり、該ホルダーは、磁気ヘッド正面で前記クリーナヘッドを接触するように動作され、また、機器筐体側に設けたガイド手段によって、正面から外れる段階で離反するようにガイドされる構成になっている。【選択図】  図１
2005122898.tif 000002
【特許請求の範囲】
【請求項１】
磁気記録再生装置において構成され、磁気ヘッドの正面に沿って、退避可能に揺動するアームにクリーナヘッドを装備しており、磁気ヘッドを清掃する際に、前記クリーナヘッドを磁気ヘッドの正面に摺接する磁気ヘッドクリーナにおいて、
前記アームには、磁気ヘッドの正面に対して前記クリーナヘッドを接離動作するためのホルダーが枢支され、該ホルダーは、磁気ヘッド正面で前記クリーナヘッドを接触するように動作され、また、機器筐体側に設けたガイド手段によって、正面から外れる段階で揺動方向から離反して、清掃しない他の構成部品の張り出し部分を避けるように回動される構成になっていることを特徴とする磁気ヘッドクリーナ。
【請求項２】
前記ホルダーは、クリーニングに際して、クリーナヘッドを磁気ヘッド正面に向けるように弾持されていることを特徴とする請求項１に記載の磁気ヘッドクリーナ。
【請求項３】
前記アームは、前記機器筐体側のガイドに沿って移動するベアリングで案内されるカムを備えており、前記ベアリングが前記カムを押圧することで、前記アームを揺動するように構成されていることを特徴とする請求項１又は２の何れかに記載の磁気ヘッドクリーナ。
【発明の詳細な説明】
【技術分野】
【０００１】
本発明は、磁気ヘッドの正面に沿って、退避可能に揺動するアームにクリーナヘッドを装備しており、磁気ヘッドを清掃する際に、前記クリーナヘッドを磁気ヘッドの正面に摺接する磁気ヘッドクリーナに関するものである。
【背景技術】
【０００２】
この種の磁気ヘッドクリーナは、磁気ヘッドの正面で、ブラシなどのクリーナヘッドを動作することで、クリーニングを行うもので、磁気記録再生の際には、前記クリーナヘッドを磁気テープ（記録媒体）から遠ざける必要があるが、前記クリーナヘッドを支えるアームは、磁気ヘッドの正面に沿って移動する構成であって、退避に際しては、例えば、磁気ヘッドアクチュエータ（ヘッド駆動機構）の前部に導かれる。
【０００３】
然るに、通常、前記アクチュエータは、磁気ヘッドを、その重心近くに位置することで、ヘッド駆動時のヘッド動作およびアライメントの安定性を確保するために、磁気ヘッドの下部で、その正面より前方に張り出した構造になっている場合がある。
【０００４】
【特許文献１】特開平７−２４９２０８号公報
【特許文献２】特開平６−１８０８２７号公報
【発明の開示】
【発明が解決しようとする課題】
【０００５】
このため、磁気ヘッドクリーナのアームは、前記アクチュエータの張り出し部分を回避する必要から、機器筐体の前側に片寄り、このため、クリーナヘッドを支える個所が磁気ヘッドから相当離れた位置になる。これは、クリーニングの際の十分な払拭作用が得られなくなる原因となる。
【０００６】
本発明は、上記事情に基づいてなされたもので、その目的とするところは、ホルダーがヘッド駆動機構の重心近傍に磁気ヘッドが位置している磁気記録再生装置において構成される磁気ヘッドクリーナにおいて、そのクリーナヘッドのためのホルダーを、クリーニングに際しては、磁気ヘッドの正面側に移動し、退避の際には、これから離反するように制御する構造とし、クリーニングの際の十分な払拭作用を達成できるようにするものである。
【課題を解決するための手段】
【０００７】
このため、本発明では、磁気ヘッドの正面に沿って、退避可能に揺動するアームにクリーナヘッドを装備しており、磁気ヘッドを清掃する際に、前記クリーナヘッドを磁気ヘッドの正面に摺接する磁気ヘッドクリーナにおいて、前記アームには、磁気ヘッドの正面に対して前記クリーナヘッドを接離動作するためのホルダーがあり、該ホルダーは、磁気ヘッド正面で前記クリーナヘッドを接触するように動作し、また、機器筐体側に設けたガイド手段によって、正面から外れる段階で離反するようにガイドされる構成になっていることを特徴とする。
【０００８】
この場合、本発明の実施の形態として、前記ホルダーが、前記アームに枢支され、前記ガイド手段はガイドに際して、前記ホルダーを回動するように機能すること、前記ホルダーが、クリーニングに際して、クリーナヘッドを磁気ヘッド正面に向けるように弾持されていること、および、前記アームが、前記機器筐体側のガイドに沿って移動するベアリングで案内されるカムを備えており、前記ベアリングが前記カムを押圧することで、前記アームを揺動するように構成されていることが有効である。
【発明の効果】
【０００９】
本発明によれば、磁気ヘッドを十分な払拭作用でクリーニングできると共に、その後におけるクリーナヘッド（ブラシ）やそのためのホルダーを、磁気ヘッドから離反させ、しかも、前記ホルダーを移動する磁気ヘッドクリーナのアームを、磁気ヘッドの駆動機構などの、他の構成部品に干渉させないで、退避することができる。
【発明を実施するための最良の形態】
【００１０】
以下、本発明の実施の形態について、図面を参照して、具体的に説明する。ここでは、磁気ヘッドクリーナ４は、デッキベース（装置筐体）１の右側面に、図２に示すように、ピン５を介して回動可能に取り付けられていて、揺動運動ができるようになっている。その揺動運動によって、アーム４１の先端に付設されたブラシなどのクリーナヘッド４８が、磁気ヘッド６１を清掃するのであるが、ここでの特徴は、磁気ヘッドユニット６の磁気ヘッド６１の正面を清掃した後の、ブラシホルダー４５の動作にあり、ここが本発明のポイントである。
【００１１】
図１〜図４に示すように、ブラシホルダ４５は、磁気ヘッド６１の正面付近を通過した後、図４に示すような回転機構で、収納時（不使用時）に、磁気ヘッド正面からの距離を大きく採っている。これによって、アクチュエータ（ヘッド駆動機構）６２をヘッド表面から飛び出た位置に配置が可能になるため，アクチュエータ６２の力の中心とヘッドの重心を一致させることが可能であり，ヘッド駆動時のヘッド動作およびアライメントの安定化が容易となる。
【００１２】
更に詳述すると、磁気ヘッドクリーナ４は、アーム４１、カム４２、カム４３、ピン４４、ブラシホルダー４５、ピン４４周りでブラシホルダー４５を図１〜図３の左側から見て（即ち、図４において）時計方向に弾持するための捻りスプリング４６、ガイドプレート４７、ブラシ（クリーナヘッド）４８、および、アーム４１の先端に設けたストッパ４９などから構成されている。そして、デッキベース１の右側面にピン５を介して回転自由に指示されたアーム４１は、その先端に、ピン４４を介して、ブラシホルダー４５を取り付けており、そのブラシホルダー４５の側面にブラシ（クリーナヘッド）４８が付設されている。
【００１３】
また、ブラシホルダー４５は、ピン４４を介して、アーム４１に取り付けられており、その間に、捻りスプリング４６が付設されている。そのため、ブラシホルダー４５は、図１〜図３の右側面から見て（即ち、図４において）、時計方向に回転運動が可能で、捻りスプリング４６によって、常に、ストッパー４９に押し当てられる。このため、ブラシ４８は、磁気ヘッド６１の正面に向けられる。また、カム４２、カム４３は、アーム４１の回転軸（ピン５）近辺に設けられていて、これらカムに、ベアリング３５が接触することで、アーム４１が揺動運動される。
【００１４】
なお、このベアリング３５は、磁気記録媒体のカセット用のローダプレート３に設けた他のベアリング３１〜３４と共に、前者が装置筐体側のローダガイド（ブラケット）２に設けたガイドスリット２５で、後者がガイドスリット２１〜２４で、それぞれ、左右水平方向に案内される。
【００１５】
また、ブラシホルダー４５には、ピン４４よりも磁気ヘッドユニット６側に近く、板状のブラシガイド４７を備えており、これが、捻りスプリング４６による前記回動運動の際、ストッパー４９に当接するのである。
【００１６】
また、アクチュエータ６２の一側に位置して、デッキベース１の前部には、ブラシガイド４７に対応する、ブラシ４８の退避用ガイド７が装備されている。この退避用ガイド７は、アーム４１がアクチュエータ６２の前部に下ろされた際、図４の（ｂ）および図７、８に示すように、ブラシガイド４７に当接し、ブラシホルダー４５をピン４４周りで回動（図４において、スプリング４６に抗して反時計方向に回動）させる。
【００１７】
この際、退避用ガイド７に設けた傾斜面７１ａおよびガイド竪溝７１ｂにはブラシガイド４７が誘導される。その結果として、ブラシホルダー４５は、クリーニング位置より９０度回動して、ブラシ４８を上向きに変えて、磁気ヘッド６１から離反させる。この状態は図７および図８に示されている。
【００１８】
このような構成では、所要の駆動機構（図示せず）により、ローダプレート３を左側の初期状態（図２、図３を参照）から右側に移動することで、カセットの装填をするが、ローダガイド２に設けたガイドスリット２１〜２５内でベアリング３１〜３５が図２、図３の状態から図５、図６の状態へと移行する間に、ベアリング３１で、アーム４１に設けたカム４３を押圧し、アーム４１をピン５周りで回動し、磁気ヘッド６１の正面を払拭する。そして、払拭後には、先述のように（図７、図８に示すように）、ブラシ４８を磁気ヘッド６１の正面から退避させ、アクチュエータ６２の前まで降下させる。これによって、ガイド７の傾斜部７１ａでガイドしながら、ガイド竪溝７１ｂ内にブラシホルダー４５をコンパクトに収納できる。
【００１９】
また、再び、磁気ヘッド６１の払拭を行う際には、ローダプレート３を右側から左側に移動することで、ベアリング３１を動作し、これによって、アーム４１に設けたカム４２を押圧して、アーム４１を回動させ、初期状態に戻す。この過程で、スプリング４６が働き、ガイド４７がストッパ４９に当接するまで回動して（図５、図６を参照）、ブラシホルダー４５を水平状態に戻し（図４の（ａ）を参照）、ブラシ４８を磁気ヘッド６１の正面に摺接する位置まで戻す。
【００２０】
なお、図９〜図１１には、カセットの装填時に、ローダプレート３を、デッキベース１の左右に動作するが、これとは別に、アーム４１の揺動を、即ち、磁気ヘッドクリーナ４を、モータ８で駆動させる構成が、他の実施形態として、示されている。更に詳述すると、モータ８は、デッキベース１の前にあるブラケット９に固定されており、モータ軸１０の先端に設けられたギア１１とアーム４１に設置されたクリーナ軸１３（先の実施形態のピン５に相当する）の先端に設けられたギア１２によって、モータ動力をアーム４１の揺動のために伝達するのである。
【００２１】
即ち、ギア１２にはスリット１２１、１２２が設けられており、そのスリット１２１は、アーム４１が最大限、上昇した時（図１０を参照）に、ブラケット９に固定されたセンサ１４で検出される位置に設けられる。また、スリット１２２は、アーム４１が最大限、下降した時（図示せず）に、センサ１４で検出される位置に設けられる。また、デッキベース１上にはセンサ１５が設けられていて、ローダプレート３にあるベアリング３５の位置を検出する。
【００２２】
このような構成では、センサ１５によって、ベアリング３５が検出される時のみ、モータ８が回転して、ギア１１、１２を介して、磁気ヘッドクリーナ４のアーム４１を回転させ、磁気ヘッド６１をクリーニングするのである。
【００２３】
その動作順は、まず、モータ８が時計回りに回転することで、アーム４１を上昇させながら、磁気ヘッド６１をクリーニングし、センサ１４によってスリット１２１を検出したところで、モータ８を停止する（図１０を参照）。その後、モータ８は反時計回りに回転し、アーム４１を下降させながら、磁気ヘッド６１をクリーニングし，センサ１４によって、スリット１２２を検出したところで、モータ８を停止するのである。
【００２４】
この実施形態では、磁気ヘッドクリーナ４がモータ８で駆動されるために、センサ１５でベアリング３５を検知している間、何回でも、磁気ヘッド６１をクリーニングすることが可能となり、磁気ヘッド６１の払拭に関して、効果的な動作を得ることができる。
【図面の簡単な説明】
【００２５】
【図１】本発明の実施の形態を示す要部の拡大平面図である。
【図２】同じく、全体の正面図である。
【図３】同じく、全体の平面図である。
【図４】同じく、要部の動作を示す端面図である。
【図５】同じく、払拭の終了状態を示す平面図である。
【図６】同じく、払拭の終了状態を示す正面図および端面図である。
【図７】同じく、退避状態を示す平面図である。
【図８】同じく、退避状態を示す正面図である。
【図９】本発明の他の実施形態を示す平面図である。
【図１０】同じく、正面図である。
【図１１】同じく、センサの部分正面図である。
【符号の説明】
【００２６】
１    デッキベース（装置筐体）
２    ローダガイド
２１〜２５    ガイドスリット
３    ローダプレート
３１〜３５    ベアリング
４    磁気ヘッドクリーナ
４１    アーム
４２、４３    カム
４４    ピン
４５    ブラシホルダー
４６    捻りスプリング
４７    ガイド
４８    ブラシ（クリーナヘッド）
４９    ストッパー
５    ピン
６    磁気ヘッドユニット
６１    磁気ヘッド
６２    アクチュエータ（ヘッド駆動機構）
７    ガイド
７１ａ    傾斜部
７１ｂ    ガイド竪溝
８    モータ
９    ブラケット
１０    モータ軸
１１、１２    ギア
１２１、１２２    スリット
１３    クリーナ軸
１４、１５    センサ
【図１】
2005122898.tif 000003
【図２】
2005122898.tif 000004
【図３】
2005122898.tif 000005
【図４】
2005122898.tif 000006
【図５】
2005122898.tif 000007
【図６】
2005122898.tif 000008
【図７】
2005122898.tif 000009
【図８】
2005122898.tif 000010
【図９】
2005122898.tif 000011
【図１０】
2005122898.tif 000012
【図１１】
2005122898.tif 000013